(57)【特許請求の範囲】
【請求項１】
筒体からなる支柱を地中から立設し、その支柱の地上外周に円筒状の基柱を立設し、上記支柱が貫通する踊り場を基柱の上部に設け、その踊り場に至る登頂設備を上記支柱と基柱の間に備え、その踊り場から地上に至る滑降路を基柱の外側に設け、上記支柱の地中から頂部に至るガス放散管を、地中埋設のガス導管と地中で接続して上記支柱の内部に設け、放散都市ガスを燃焼して大気放散するための着火装置を放散塔の上端部に設け、さらに雨水等が頂部から放散塔内に侵入しないように、放散塔の先端部に、放散ガスが押しあげて開動する開閉蓋を設けてなることを特徴とするガス放散塔兼用滑り台。
【発明の詳細な説明】
【０００１】
【発明の属する技術分野】
この発明は、緊急時に埋設導管内の都市ガスを放散させる設備として使用するガス放散塔と、レジャー設備として遊園地、公園等に設置する大型の滑り台を組合せたガス放散塔兼用滑り台である。
【０００２】
【従来の技術】
工場で製造された高圧の都市ガスは、ガバナを設置した変圧所を経由しながら高圧から低圧に順次圧力変換され、地中に埋設されたガス導管を通して、最終需要家の各家庭等へ安全に供給されている。
【０００３】
そして、地震発生等の緊急時には、感震型緊急遮断弁が作動し、又はコントロールセンター等からの指令信号受信で作動する緊急遮断弁を作動させて、所定供給区分エリヤ毎にガス供給の埋設導管を閉塞し、ガスの供給を停止する。その後、地震動がある程度おさまった段階で、所定供給区分エリヤ毎の埋設導管に接続しているガス開放弁を操作開動し、地震誘発火災の拡大を抑制するために埋設導管内に封塞されているガスを高い高さのガス放散塔頂部から安全に大気へ放出して、二次災害の発生を防止している。
【０００４】
とりわけ、密集した市街地では、地震誘発火災が生じ易く、更にガス供給の導管網も密集して配設されているので、地震誘発火災が導管内の危険なガスに着火するのを防ぎ、大きな二次災害の発生を防止するためには、ガス放散塔はなくてはならない安全設備のひとつとなっている。
【０００５】
また、地上数十メートルの高さに立設した基柱の頂部から地上まで滑降路を設けた大型の滑り台が、近年、公園や遊園地等に娯楽遊戯施設として普及してきている。
【０００６】
【発明が解決しようとする課題】
ところで従来のガス放散塔は、地震誘発火災が生じ易く、更にガス供給の導管網の密集している市街地において最も必要とする設備ではあるが、地価の高い市街地では緊急時のみに使用する設備設置のために確保する建設用地が少なく、そのガス放散塔設置の普及がおくれているのが実情である。
【０００７】
また、従来のガス放散塔と大型の滑り台は、両者とも全く別用途の施設として認識されているため、全く別個に建設されている。よって、建設用地、構築部材とも個別に手当てしているので、用地費及び建設費が非常に高価となり、また保守管理にも多大な労力を必要とし、建設及び運営における問題を有していた。
【０００８】
この発明は、上述のような従来技術が有する問題点に鑑みてなされたもので、危険なガスの安全な放散に必要とされる高さの高い筒体支柱、或は放散管と、滑り台に必要な登頂設備等を有機的に収納複合し、緊急時の実用性と通常時の遊戯性、更に美観をも兼ね備え、用地確保が容易で、用地費、建設費が少なく、保守管理も容易なガス放散塔兼用滑り台を提供するものである。
【０００９】
【課題を解決するための手段】
請求項１の発明に係るガス放散塔兼用滑り台は、筒体からなる支柱を地中から立設し、その支柱の地上外周に筒体状の基柱を立設し、上記支柱が貫通する踊り場を基柱の上部に設け、その踊り場に至る登頂設備を上記支柱と基柱の間に備え、その踊り場から地上に至る滑降路を基柱の外側に設け、上記支柱の地中から頂部に至るガス放散管を、地中埋設のガス導管と地中で接続して上記支柱の内部に設け、放散都市ガスを燃焼して大気放散するための着火装置を放散塔の上端部に設け、さらに雨水等が頂部から放散塔内に侵入しないように、放散塔の先端部に、放散ガスが押しあげて開動する開閉蓋を設けてなるガス放散塔兼用滑り台であり、通常時には大型滑り台として遊戯に使用し、地震発生等の緊急時には、埋設導管内のガスを支柱内部に設けた放散管の高い頂部から燃焼させた後に安全に大気放散するガス放散塔として使用するように形成したものである。
【００１０】
このように、通常時には公園等に設置した楽しいレジャー設の大型滑り台として使用し、地震発生等の緊急時には、二次災害発生防止の安全なガス放散設備として使用するように形成したものである。
【００１１】
【発明の実施の形態】
この発明に係る実施形態の一例を、図面に基いて説明する。図１は、ガス放散塔兼用滑り台の一実施形態例を、一部省略して示した概要断面説明図である。
【００１２】
図１において、１は地中から立設した筒体からなる支柱であり、その支柱１は、鋼材又はコンクリート構造体材等の材料で、頂部が開口した断面円形の円筒体或は頂部が開口した断面矩形等の多角形筒体を形成し、その筒体の下端部、例えば鋼管で形成した筒体の下端部に設けたベース板１Ｂを、地中に設けた基礎１Ｆへアンカーボルト（図示省略）等で固定して立設する。そして、その支柱１の地上外周部に、支柱１との間に登頂設備２を内装した鋼製或はコンクリート構造体製等の筒体状の基柱３を立設し、その基柱３の上部には、支柱１が貫通する鍔状テラスの踊り場４を設ける。
【００１３】
なお、図示の実施形態例においては、踊り場４は支柱１が貫通するとともに、後述の展望台６を支持した基柱３も踊り場４を貫通支持して形成している。また、鋼或はコンクリート構造体の材料等で形成する基柱３は、支柱１が円筒体形状の時にその基柱３を同心円円筒体形状とした二重同心円構造体、或は支柱１が四角筒体形状の時にその基柱３を同じ隔接間隔を有する相似四角筒体形状とした相似二重角筒体構造体等の相似筒体に形成すれば、全ての方向に対して、より高強度を有する耐震・耐風の構造体となり、支柱１と基柱３との間に設ける登頂設備２の形成も容易にできる。
【００１４】
そして、踊り場４へ至る登頂設備２は、踊り場４の地上高さが２０メートル程度以下のものでは、図示のような回り階段を採用し、それを超える高い高さのものでは、機械式のエレベーター等を採用する。
【００１５】
また、踊り場４から地上に至るまで連続した滑り台滑り面用の滑降路５を基柱３の外側に設ける。その滑降路５は、合成樹脂材、繊維強化プラスチック（ＦＲＰ）材、ステンレス材等で、円筒状、或は断面Ｕ字開渠状の形状に形成し、支柱１又は基柱３から延出した支持部材５Ｓ、或は地面に立設した支持部材（図示省略）に吊着若しくは載着して取付ける。
【００１６】
円環断面を二点鎖線で接続して示した図示の滑降路５は、外観美に優れたコンパクトな形状となるように、円筒形状に形成した滑降路５を基柱３の外周に沿って螺旋状に巻き付けて設けているが、平面８の字形状等に滑降ルートを変化させて楽しい滑り降り遊びができるように滑降路５を踊り場４から地上に至るまで配設してもよい。
【００１７】
上述のように基柱３の外側に踊り場４から地上に至る滑降路５を設けて、遊戯者Ｐが登頂設備２を利用して踊り場４まで登り、踊り場４から地上に至るまで連続して滑り降り遊びを楽しめるように形成する。なお、図示の実施形態例においては、踊り場４の上に支柱１に貫通支持された球体形状の展望台６を設けているので、登頂設備２を利用して踊り場４まで登った遊戯者Ｐは滑降路５の滑降を楽しむ前に、展望台６からの眺望をも楽しむことができる。
【００１８】
また、地中から立設した支柱１の地中に位置する下部に、地中に埋設されている都市ガスのガス導管７を接続する。そのガス導管７と地中の支柱１下部との接続は、支柱１への地震動の影響を緩和させる伸縮管継手８、メンテナンスのとき等にガス導管７との接続を開閉する開閉弁９、緊急遮断弁（図示省略）で閉塞されたガス導管７に接続してコントロールセンター等からの指令信号の受信で開動する緊急開放弁１０等を介して接続する。
【００１９】
そして、地震発生の緊急時等に緊急遮断弁（図示省略）で閉塞されたガス導管７内のガスを安全に大気放散しなければならない時には、コントロールセンター等から指令信号を発して緊急開放弁１０を開動し、ガス導管７内のガスを支柱１を通してその支柱１の高い頂部から安全に大気放出できるようにガス導管１と支柱１を接続して形成する。
【００２０】
上述のように、支柱１、基柱３、登頂設備２、踊り場４、滑降路５を形成し、支柱１と埋設のガス導管７を接続して市街地の公園等に設置し、通常時には、レジャー設備の楽しい大型滑り台として利用し、地震発生等の緊急時には、緊急遮断弁で閉塞された地中埋設導管７内の都市ガスを、基柱３と、基柱３との間に設けた登頂設備２の空間（熱を遮断する断熱空間）に囲まれた堅牢で遮熱性に優れた二重筒体構造体内の支柱１内を通し、その高さの高い支柱１の頂部から安全に大気放散できるように形成する。
【００２１】
また、図２は、支柱１１の内部にガスの放散管１２を設けた請求項１の発明に係るガス放散塔兼用滑り台の一実施形態例を示す概要断面説明図である。図１の実施形態例においては、地中埋設の導管７内ガスを、ガス導管７と地中で接続した支柱１を通して、その支柱１の頂部から大気へ安全に放散するように形成しているが、図２の実施形態例においては、地中埋設のガス導管７と地中で接続して支柱１１の頂部に至る放散管１２を支柱１１の内部に設け、緊急遮断弁（図示省略）で閉塞された地中埋設の導管７内ガスを、放散管１２を通して支柱１１の頂部から大気へ安全に放散するように形成している。なお、図１と同様な構成を有するものについては、図２に同符号を付している。
【００２２】
つまり、支柱１１は、図１の支柱１と同様な構造に形成した筒体を地中から立てて設け、その支柱１１の地上外周部に立設する基柱３、基柱３上部の踊り場４、支柱１１と基柱３との間に備えられて踊り場４に至る登頂設備２、踊り場４から地上に至るまで基柱３の外側に設ける滑降路５等は、図１の実施形態例の説明で述べた構造と同様な構造に形成する。
【００２３】
そして、放散管１２は、図２に示したように、地中埋設のガス導管７と地中で接続して支柱１１の頂部に至る上端開口の配管を鋼管材等で形成し、その鋼管材等で形成した配管を支柱１１の内部に配設し、支柱１１内に設けたサポート材１１Ｓ等で支持して設ける。このように基柱３と支柱１１の堅牢な二重筒体構造体を架構として、その支柱１１の内部に放散管１２を設け、大気放散を必要とする地中埋設のガス導管７内ガスを、放散管１２を介して高さの高い支柱１１の頂部から安全に大気放散し得るように形成する。
【００２４】
なお、地中埋設のガス導管７と放散管１２との接続は、図２に示したように、図１の実施形態例と同様な伸縮管継手８、開閉弁９及び緊急開放弁１０等を設けて接続し、耐震性、引火性、操作性等に配慮し、レジャー設備としての安全性にも留意して形成する。
【００２５】
図２の実施形態例においては、放散都市ガスを燃焼して大気放散するための着火装置１３を放散塔１２の上端部に設けており、放散する都市ガスが空気より重いガス体のときに、その重いガス体が放散塔１２頂部から放出後直ぐに地上へ降下してきて周囲に二次災害を生じさせないように燃焼し、燃焼したガスを空中高く安全に大気放散させることができる。
【００２６】
また、図２の実施形態例においては、雨水等が頂部から放散塔１２内に侵入しないように、放散塔１２の先端部には、放散ガスが押しあげて開動する開閉蓋１４を設けている。これらの着火装置１３と開閉蓋１４は、図１の実施形態例における支柱１の頂部にも設置することができる。
【００２７】
【発明の効果】
叙述の説明で明らかなように、この発明に係るガス放散塔兼用滑り台は、次の作用及び効果を奏する。
【００２８】
請求項１の発明に係るガス放散塔兼用滑り台は、筒体からなる支柱を地中から立設し、その支柱の地上外周に円筒状の基柱を立設し、上記支柱が貫通する踊り場を基柱の上部に設け、その踊り場に至る登頂設備を上記支柱と基柱の間に備え、その踊り場から地上に至る滑降路を基柱の外側に設け、上記支柱の地中から頂部に至るガス放散管を、地中埋設のガス導管と地中で接続して上記支柱の内部に設け、放散都市ガスを燃焼して大気放散するための着火装置を放散塔の上端部に設け、さらに雨水等が頂部から放散塔内に侵入しないように、放散塔の先端部に、放散ガスが押しあげて開動する開閉蓋を設けてなるので、支柱内部の地中から頂部に至るガスの放散管は、基柱と支柱の堅牢な二重筒体構造体の支柱内部に位置するため、耐風性、耐震性に、より優れたガスの放散設備となり、近隣の地震誘発火災に対しても、放散管を被覆する基柱、支柱及びそれらの間に設けられた空間層が地震誘発火災の火炎や熱伝達を遮断するのでその火災熱の影響を受けることなく、放散都市ガスを燃焼させた後に大気へ放散するため、より安全なガス放散設備となる。
【００２９】
また、ガス放散塔兼用滑り台は、ガス放散塔の建設用地確保が従来困難であった市街地でも、市街地の避難場所として確保されている遊園地や公園、或は校庭等に安全な防災設備兼用のレジャー設備として設置することができ、通常時は、大型滑り台の娯楽遊戯施設として利用し、地震発生等の緊急時には、埋設都市ガス導管内のガスを安全に大気放出して都市災害の拡大を抑制することができる。
【００３０】
更に、ガス放散塔と大型滑り台を個別に建設するのに比べて格別低廉に建設でき、かつメンテナンスも容易で、加えて建設地の公園等の地上部分は従来通りの娯楽遊戯場として利用し、土地の有効活用が図れるため、その普及が容易であり、その普及によって都市の防災機能を格段に向上させることができる。
【００３１】
また、通常時には、滑り台遊びの滑降スタート台となる地上高さの高い踊り場、或は眺望を楽しむ展望台は、地震発生等の緊急時には、被災状況確認の望楼台防災設備として利用することができるため、避難場所の遊園地や公園等に集まってくる被災者を安全に誘導避難させることができる。さらに、望楼台の踊り場から滑降路を短時間に滑り降りて地上に至ることができるので、監視者の万一の避難や緊急連絡がスムーズに行え、都市の防災機能を増すことができる。
【００３２】
ガス放散設備を地中及び支柱の内部に装備し、基柱と支柱の間に登頂設備を備える等して有機的に収納複合し、かつコンパクトで外観美に優れた構造体で、しかも堅牢で耐震性に優れた二重筒体の構造体に形成しているので、防災設備としてはもとより、遊園地や公園等に設置するレジャー設備に適した構造体となる。
【００３３】
このように、地中埋設のガス導管と地中で接続し、かつ基柱に囲まれた堅牢な二重筒体構造体内の支柱内を通して、埋設導管内ガスを高さの高い支柱頂部から大気放散する構造のガス放散塔兼用滑り台であるので、万一近隣に地震誘発火災が生じていたとしても、放散ガスの通る支柱は基柱に囲われて露出していないため、その火災熱の影響を受けることなく安全にガスを放散することができる。
【００３４】
【図面の簡単な説明】
【図１】  この発明に係るガス放散塔兼用滑り台の実施形態例の一例を示し、一部を省略した概要断面説明図である。
【図２】  請求項１に係る発明のガス放散塔兼用滑り台の実施形態例で、支柱内部に放散管を設けた場合を示す一部省略した概要断面説明図である。
【符号の説明】
１、１１  支柱
２  登頂設備
３  基柱
４  踊り場
５  滑降路
６  展望台
７  ガス導管
８  伸縮管継手
９  開閉弁
１０  緊急開放弁
１２  放散管
１３  着火装置
１４  開閉蓋
【図１】
0003823233.tif 000002
【図２】
0003823233.tif 000003